(57)【特許請求の範囲】
【請求項１】
カートリッジに収納した記録媒体を所定の再生位置にローディングして再生する本体と、
前記本体内に弾性部材を介してフローティング（浮遊）状態に支持されて前記記録媒体を再生するターンテーブル及び再生ヘッドを載置したベースシャーシと、
前記ベースシャーシに所定の案内溝を設けてこの案内溝に摺動可能に支持されて前記ターンテーブル上で昇降して前記記録媒体を再生及び非再生位置に移送するカートリッジホルダと、
前記ベースシャーシに載置されて前記カートリッジホルダを前記案内溝に沿って摺動させる駆動手段とを備え、
前記カートリッジホルダは、前記記録媒体の挿入方向両側に突出するガイドピンを複数設け、前記ベースシャーシの表面に平行して延在する一対の壁面を備え、この壁面に前記ガイドピンを挿入して案内する長穴状の前記案内溝を形成することで前記ベースシャーシ上に摺動可能に支持されるとともに、
前記駆動手段は、所定の駆動力を与えるモータと、このモータから歯車のギヤ列を介して前記カートリッジホルダのガイドピンに係合して摺動させるスライダとを前記ベースシャーシに載置して設けることで、
前記記録媒体の非再生位置への移送時に、前記案内溝により前記本体内で前記カートリッジホルダと前記ベースシャーシとを相対的に離す方向に動作させ、前記カートリッジホルダが前記本体内で位置規制されて前記ベースシャーシが前記弾性部材を潰すように降下することでフローティング状態を固定（ロック）するとともに、この固定時に前記ベースシャーシが傾いて前記弾性部材を複数に分けて断続的に潰すように降下させ、前記駆動手段の駆動負荷を軽減するように設けたことを特徴する記録媒体再生装置。
【請求項２】
請求項１に記載の記録媒体再生装置において、
前記案内溝は、前記記録媒体の非再生位置への移送時に前記カートリッジホルダを左右または前後のいずれかに傾くようにガイドピンを案内して降下させて前記弾性部材を断続的に潰すように形成したことを特徴とする記録媒体再生装置。
【請求項３】
請求項１に記載の記録媒体再生装置において、
前記案内溝は、前記ガイドピンの径より大きい幅に形成し、この幅と前記ガイドピンとのクリアランスにより若干の回転運動をすることで左右または前後に傾いて前記弾性部材を断続的に潰すように形成したことを特徴とする記録媒体再生装置。
【請求項４】
請求項１に記載の記録媒体再生装置において、
前記記録媒体はカートリッジの内部に光ディスクを収納したＭＤ、ＭＯいずれかの媒体であり、前記本体は前記記録媒体を収納して再生するカーステレオ、パソコンなどの本体であることを特徴とする記録媒体再生装置。
【発明の詳細な説明】
【０００１】
【発明の属する技術分野】
本発明は記録媒体再生装置に係り、より詳しくは本体内に配置したフローティング（浮遊）状態のベースシャーシ上で記録媒体を把持して再生及び非再生位置に移送するカートリッジホルダを備えた記録媒体再生装置に関する。
【０００２】
【従来の技術】
従来、ＭＤ、ＭＯなどの記録媒体を再生する記録媒体再生装置は、本体内で振動などの衝撃を吸収するために弾性部材を介してフローティング（浮遊）状態に支持したベースシャーシを備え、このベースシャーシ上に記録媒体を再生するターンテーブル、再生ヘッドなどの再生部品を載置している。これにより再生部品は、弾性部材が衝撃を吸収して記録媒体から正確に情報を読み取り再生することが可能となる。
【０００３】
また、従来の記録媒体再生装置では、本体内から記録媒体を排出する際、ベースシャーシ（ターンテーブル）と記録媒体とを離して非再生位置に移送するカートリッジホルダを備えており、このカートリッジホルダの動作に伴ってベースシャーシのフローティング状態を固定（ロック）して安全な排出動作を可能にしていた。このように記録媒体の非再生位置への移送時にフローティング状態を固定する従来技術としては、例えば、特開平６−１０３６７４号公報などに開示されている。図５は、このようなフローティング状態を固定する従来の記録媒体再生装置を示す斜視図である。また、図６は、図５に示した記録媒体再生装置によりフローティング状態を固定する動作を示す動作説明図であり、図６（ａ）は固定前の状態を、図６（ｂ）は固定途中の状態を、図６（ｃ）は固定後の状態を各々示している。
【０００４】
図５に示す従来の記録媒体再生装置は、ＭＤを再生するカーステレオに採用したものであり、カーステレオの外装を形成する本体１０と、この本体１０内に複数（図５では４箇所）の弾性部材１１によりフローティング（浮遊）状態に支持されたベースシャーシ４０と、このベースシャーシ４０上に両側面を摺動可能に支持されて本体１０内に挿入した記録媒体（ＭＤ）１を保持して昇降することで再生及び非再生位置に移送するカートリッジホルダ３０とを備えている。
ここで、本体１０は、図示されていないが、外側の所定面に記録媒体１を挿入する挿入口を形成している。そして、本体１０内には、挿入口の近傍にベースシャーシ４０と、カートリッジホルダ３０とを配置してフローティング（浮遊）状態に支持している。
【０００５】
このベースシャーシ４０は、本体１０内にダンパーなどの弾性部材１１を介して支持しており、本体１０内の上面からコイルバネ１２により所定位置に付勢した状態で配置されている。また、ベースシャーシ４０には、ほぼ中央部に記録媒体１を再生するために回転駆動させるターンテーブル４３を載置している。また、ベースシャーシ４０には、ターンテーブル４３の両側にほぼ鉛直方向に平行して延在する一対の壁面４４を一体に形成している。この一対の壁面４４は、図５に示した左右方向で対称になるように長穴状に切り欠いた案内溝４４ａを形成している。また、ベースシャーシ４０には、壁面４４の片側に所定の駆動力を与えるモータ４５と、このモータ４５から歯車による複数のギヤ列４６を介して摺動可能に支持されたスライダ４７とを載置している。
【０００６】
また、カートリッジホルダ３０は、本体１０内に挿入した記録媒体１の外周を覆って保持できるように形成され、底面に所定の大きさで開口する開口穴３２を形成してベースシャーシ４０に配置したターンテーブル４３及び再生ヘッドが開口穴３２を介して動作するように形成している。このカートリッジホルダ３０は、記録媒体１の挿入方向に対して両側の側面に複数（図５では４箇所）突出するガイドピン３４を設け、このガイドピン３４をベースシャーシ４０の案内溝４４ａに挿入することでベースシャーシ４０上に摺動可能に支持されている。このガイドピン３４は、片側がベースシャーシ４０のスライダ４７に係合しており、モータ４５の駆動力がスライダ４７を介して伝達されるように形成している。
【０００７】
このような構成からなる従来の記録媒体再生装置を用いて記録媒体１を再生する場合、まず、使用者が記録媒体１を把持し、図５に示したように本体１０の挿入口（図示せず）に挿入する。この際、本体１０内では、カートリッジホルダ３０のガイドピン３４がスライダ４７により図５に示した前方に押されてベースシャーシ４０の案内溝４４ａに沿って一端側に固定されている。また、ベースシャーシ４０は、ガイドピン３４が案内溝４４ａの一端側に移動することで、図５に示した下方向に弾性部材１１を潰し（変形させ）ながら降下している。これによりベースシャーシ４０は、弾性部材１１とコイルバネ１２との弾性力により図５に示した上方向に付勢された状態で固定（ロック）している。
【０００８】
そして、本体１０内に挿入した記録媒体１は、カートリッジホルダ３０内に収納されて保持される。この際、本体１０内では、カートリッジホルダ３０が記録媒体１を保持したことを検出手段（図示せず）が感知してベースシャーシ４０上のモータ４５を駆動させる。また、モータ４５が回転すると、図５に示したように、ベースシャーシ４０上のギヤ列４６に回転力が伝達され、このギヤ列４６を介してスライダ４７が図５に示した後方に摺動する。これにより本体１０内では、ベースシャーシ４０が弾性部材１１とコイルバネ１２との弾性力により図５に示した上方向に上昇して所定の再生位置でフローティング状態に支持されるとともに、カートリッジホルダ３０のガイドピン３４が案内溝４４ａに沿って降下する。このようにカートリッジホルダ３０は、案内溝４４ａに沿って降下することで、保持した記録媒体１を図６（ａ）に示すようにターンテーブル４３の上に載置する。これにより、記録媒体１は、本体１０内でターンテーブル４３により回転駆動して光ピックアップなどの再生ヘッド（図示せず）により所定の情報が再生可能になる。
【０００９】
一方、再生動作を終了して本体１０内から記録媒体１を排出する場合、使用者が操作キー（図示せず）などの所定のキーを操作することで、図５に示したモータ４５を回動させてスライダ４７を前方に摺動させる。これによりカートリッジホルダ３０は、両側面に突出するガイドピン３４がスライダ４７により一端側に押されて案内溝４４ａに沿って上昇する。そして、カートリッジホルダ３０は、スライダ４７により案内溝４４ａに沿って上昇することで、図６（ｂ）に示すように本体１０内の上面に当接する。また、本体１０内では、スライダ４７により更にガイドピン３４が前方に押されて摺動するため、カートリッジホルダ３０の下部でベースシャーシ４０が案内溝４４ａに沿って下方向に降下する。これによりベースシャーシ４０は、図６（ｃ）に示すように、案内溝４４ａに沿って弾性部材１１を潰しながら降下し、カートリッジホルダ３０との間のスペースを十分に確保するとともに、本体１０内でのフローティング状態を固定することができる。
【００１０】
このように、従来の記録媒体再生装置は、記録媒体１の非再生位置への移送時に本体１０内にフローティング状態に支持したカートリッジホルダ３０とベースシャーシ４０とを案内溝４４ａにより誘導することで十分に離して非再生位置への移送時のスペースを確保するとともに、このカートリッジホルダ３０とベースシャーシ４０との動作により本体１０内でのフローティング状態を固定していた。
【００１１】
【発明が解決しようとする課題】
しかしながら、従来の記録媒体再生装置では、図６に示したように、ベースシャーシ４０を降下させて弾性部材１１を押し潰す際、特に、低温時に弾性部材１１が硬くなった場合、図５に示したモータ４５及びギヤ列４６などに加わる動作負荷が大きくなり、モータ４５及びギヤ列４６に大きなトルクが必要になるため、部品のコストが高くなるという不具合があった。
また、従来の記録媒体再生装置では、前述したようにギヤ列４６に所定のトルクを必要とする場合、減速ギヤ列のギヤ数が増えたり、スピードが遅くなるという不具合があった。
本発明はこのような課題を解決し、小さなトルクでベースシャーシを降下させて弾性部材を潰してフローティング状態を固定できる低コストの記録媒体再生装置を提供することを目的とする。
【００１２】
【課題を解決するための手段】
本発明は上述の課題を解決するために、カートリッジに収納した記録媒体を所定の再生位置にローディングして再生する本体と、この本体内に弾性部材を介してフローティング状態に支持されて記録媒体を再生するターンテーブル及び再生ヘッドを載置したベースシャーシと、このベースシャーシに所定の案内溝を設けてこの案内溝に摺動可能に支持されてターンテーブル上で昇降して記録媒体を再生及び非再生位置に移送するカートリッジホルダと、ベースシャーシに載置されてカートリッジホルダを案内溝に沿って摺動させる駆動手段とを備え、このカートリッジホルダは、記録媒体の挿入方向両側に突出するガイドピンを複数設けてベースシャーシの表面に平行して延在する一対の壁面を備えこの壁面にガイドピンを挿入して案内する長穴状の案内溝を形成することでベースシャーシ上に摺動可能に支持されるとともに、駆動手段は、所定の駆動力を与えるモータと、このモータから歯車のギヤ列を介してカートリッジホルダのガイドピンに係合して摺動させるスライダとをベースシャーシに載置して設けることで、記録媒体の非再生位置への移送時に、案内溝により本体内でカートリッジホルダとベースシャーシとを相対的に離す方向に動作させ、カートリッジホルダが本体内で位置規制されてベースシャーシが弾性部材を潰すように降下することでフローティング状態を固定するとともに、この固定時にベースシャーシが傾いて弾性部材を複数に分けて断続的に潰すように降下させて駆動手段の駆動負荷を軽減するように設ける。
【００１３】
ここで、案内溝は、記録媒体の非再生位置への移送時にカートリッジホルダを左右または前後のいずれかに傾くようにガイドピンを案内して降下させて弾性部材を断続的に潰すように形成することが好ましい。また、案内溝の他の実施例は、ガイドピンの径より大きい幅に形成し、この幅とガイドピンとのクリアランスにより若干の回転運動をすることで左右または前後に傾いて弾性部材を断続的に潰すように形成することが好ましい。また、記録媒体はカートリッジの内部に光ディスクを収納したＭＤ、ＭＯいずれかの媒体であり、本体は記録媒体を収納して再生するカーステレオ、パソコンなどの本体であることが好ましい。
【００１４】
【発明の実施の形態】
次に、添付図面を参照して本発明による記録媒体再生装置の実施の形態を詳細に説明する。図１は、本発明による記録媒体再生装置の実施の形態を示す斜視図である。また、図２は、図１に示した矢印Ａ方向から見た側面図である。また、図３は、図１に示した矢印Ｂ方向から見た側面図である。また、図４は、図１に示した記録媒体再生装置によりフローティング状態を固定する動作を示す動作説明図であり、図４（ａ）は固定前の状態を、図４（ｂ）は固定途中の状態を、図４（ｃ）は固定後の状態を各々示している。ここで、本実施の形態は、図１に示したベースシャーシ２０以外、全て図５に示した従来技術と同じ構成要素であり、同じ構成要素には同一符号を記載している。
【００１５】
図１に示すように、本発明による記録媒体再生装置の実施の形態は、図５に示した従来技術と同様にＭＤを再生するカーステレオに採用したものであり、カーステレオの外装を形成する本体１０と、この本体１０内に複数（図１では４箇所）の弾性部材１１によりフローティング（浮遊）状態に支持されたベースシャーシ２０と、このベースシャーシ２０上に両側面を摺動可能に支持されて本体１０内に挿入した記録媒体（ＭＤ）１を保持して昇降することで再生及び非再生位置に移送するカートリッジホルダ３０とを備えている。
ここで、本体１０は、図示されていないが、外側の所定面に記録媒体１を挿入する挿入口を形成している。そして、本体１０内には、挿入口の近傍にベースシャーシ２０と、カートリッジホルダ３０とを配置してフローティング（浮遊）状態に支持している。
【００１６】
このベースシャーシ２０は、本体１０内にダンパーなどの弾性部材１１を介して支持しており、本体１０内の上面からコイルバネ１２により所定位置に付勢した状態で配置されている。また、ベースシャーシ２０には、ほぼ中央部に記録媒体１を再生するために回転駆動させるターンテーブル２３を載置している。また、ベースシャーシ２０には、ターンテーブル２３の両側にほぼ鉛直方向に平行して延在する一対の壁面２４を一体に形成している。また、ベースシャーシ２０には、壁面２４の片側に所定の駆動力を与えるモータ２５と、このモータ２５から歯車による複数のギヤ列２６を介して摺動可能に支持されたスライダ２７とを載置している。ここで、一対の壁面２４は、図５に示した従来技術とは異なり、左右方向で各々非対称になるように長穴状に切り欠いた案内溝２４ａ、２４ｂを形成している。ここで、図１に示した左側の壁面２４に形成した案内溝２４ａは、図２に示すように、壁面２４に所定の角度で傾斜するように切り欠いている。一方、図１に示した右側の壁面２４に形成した案内溝２４ｂは、図３に示すように、壁面２４に所定の角度で傾斜するように切り欠いて所定の下端で屈曲させて図３に示した幅Ｃで挿入方向と平行して延在するように切り欠いている。
【００１７】
再び、図１を参照してカートリッジホルダ３０は、図５に示した従来技術と同様に、本体１０内に挿入した記録媒体１の外周を覆って保持できるように形成され、底面に所定の大きさで開口する開口穴３２を形成してベースシャーシ２０に配置したターンテーブル２３及び再生ヘッド（図示せず）が開口穴３２を介して動作できるように形成している。また、カートリッジホルダ３０は、記録媒体１の挿入方向に対して両側の側面に複数（図１では４箇所）突出するガイドピン３４を設け、このガイドピン３４をベースシャーシ２０の案内溝２４ａ、２４ｂに各々挿入することでベースシャーシ２０上に摺動可能に支持されている。このガイドピン３４は、片側がベースシャーシ２０のスライダ２７に係合しており、モータ２５の駆動力がスライダ２７を介して伝達されるように形成している。
【００１８】
このような構成からなる本発明による記録媒体再生装置の実施の形態を用いて記録媒体１を再生する場合、まず、使用者が記録媒体１を把持し、図１に示したように本体１０の挿入口（図示せず）に挿入する。この際、本体１０内では、カートリッジホルダ３０のガイドピン３４がスライダ２７により図１に示した前方に押されてベースシャーシ２０の案内溝２４ａ、２４ｂに沿って摺動して一端側に固定されている。また、ベースシャーシ２０は、ガイドピン３４が案内溝２４ａ、２４ｂの一端側に移動することで、図１に示した下方向に弾性部材１１を潰しながら降下している。これによりベースシャーシ２０は、弾性部材１１とコイルバネ１２との弾性力により図１に示した上部方向に付勢された状態で固定（ロック）されている。
【００１９】
そして、本体１０内に挿入した記録媒体１は、カートリッジホルダ３０内に収納されて保持される。この際、本体１０内では、カートリッジホルダ３０が記録媒体１を保持したことを検出手段（図示せず）が感知してベースシャーシ２０上のモータ２５を駆動させる。また、モータ２５が回転すると、図１に示したように、ベースシャーシ２０上のギヤ列２６に回転力が伝達され、このギヤ列２６を介してスライダ２７が図１に示した後方に摺動する。これにより本体１０内では、ベースシャーシ２０が弾性部材１１とコイルバネ１２との弾性力により図１に示した上方に上昇して所定の再生位置でフローティング状態に支持されるとともに、カートリッジホルダ３０のガイドピン３４が案内溝２４ａ、２４ｂに沿って降下する。このようにカートリッジホルダ３０は、案内溝２４ａ、２４ｂに沿って降下することで、保持した記録媒体１を図４（ａ）に示すようにターンテーブル２３の上に載置する。これにより、記録媒体１は、本体１０内でターンテーブル２３により回転駆動して光ピックアップなどの再生ヘッド（図示せず）により所定の情報が再生可能になる。
【００２０】
一方、再生動作を終了して本体１０内から記録媒体１を排出する場合、使用者が操作キー（図示せず）などの所定のキーを操作することで、図１に示したモータ２５が回動（挿入時と逆回転）してスライダ２７を前方向に摺動させる。これによりカートリッジホルダ３０は、両側面に突出するガイドピン３４がスライダ２７により一端側に押されて案内溝２４ａ、２４ｂに沿って上昇する。この際、カートリッジホルダ３０は、図５に示した従来技術とは異なり、図２及び図３に示した案内溝２４ａ、２４ｂを異なる形状に形成しているため、左右のガイドピン３４が片側に傾いた状態で上昇する。即ち、ガイドピン３４は、片側が図２に示した案内溝２４ａに沿って上昇する際、他方の図３に示した案内溝２４ｂでは幅Ｃに沿って挿入方向に平行移動し、カートリッジホルダ３０を傾けて上昇のタイミングをずらしている。
【００２１】
これによりカートリッジホルダ３０は、案内溝２４ａ、２４ｂに沿って片側が傾いた状態で上昇し、図４（ｂ）に示すように本体１０内の上面に当接する。また、本体１０内では、スライダ２７（図１参照）により更にガイドピン３４が前方に押されて摺動することで、ベースシャーシ２０の片側が案内溝２４ａに沿って下方向に降下する。そして、ベースシャーシ２０は、片側で弾性部材１１を潰しながら降下し、カートリッジホルダ３０との間のスペースを十分に確保するとともに、本体１０内でのフローティング状態を固定する。その後、カートリッジホルダ３０は、他方のガイドピン３４が図３に示した案内溝２４ｂに沿って上昇し、図４（ｃ）に示すように本体１０内の上面に当接してほぼ平行に配置される。また、本体１０内では、ベースシャーシ２０の他方片側が弾性部材１１を潰しながら降下し、カートリッジホルダ３０との間のスペースを十分に確保するとともに、本体１０内でのフローティング状態を固定する。
このように、本発明による記録媒体再生装置の実施の形態は、カートリッジホルダ３０とベースシャーシ２０との上下方向移動を左右でタイミングをずらして傾けながら実行することにより、複数の弾性部材１１を同時に潰さず、複数回に分けて潰すことで、モータ２５及びギヤ列２６に加わる駆動負荷を軽減している。
【００２２】
以上、本発明による記録媒体再生装置の実施の形態を詳細に説明したが、本発明は前述した実施の形態に限定されるものではなく、その要旨を逸脱しない範囲で変更可能である。
例えば、実施例では案内溝２４ｂの下端を屈曲させて挿入方向と平行して延在する部分を設けたが、この平行部分を設けなくても案内溝２４の幅をガイドピン３４の径よりも大きくすることでも実質的に同様の動作をさせることができる。すなわち、この場合スライダ２７と当接するガイドピン３４が残りの３本のガイドピン３４よりも先に案内溝２４に当接することになり、いわばカートリッジホルダ３０が上方からみて若干の回転運動をすることになり、スライダ２７と当接するガイドピン３４の近くに位置する弾性部材１１が先に潰されるように作用する。
さらに、カートリッジホルダを挿入方向に対して左右に傾ける案内溝の実施の形態を説明したが、これに限定されるものではなく、例えば、カートリッジホルダを前後方向に傾けて弾性部材を潰す駆動負荷を軽減してもよい。
【００２３】
【発明の効果】
このように本発明による記録媒体再生装置によれば、弾性部材を複数回に分けて潰して降下するため、弾性部材を変形させる動作負荷が小さくなり、トルクの小さなモータ及びギヤ列でも動作できるようになる。
また、本発明による記録媒体再生装置によれば、トルクの小さなモータ及びギヤ列でも動作できるため、減速ギヤの少数化が可能になるとともに、動作スピードを向上させることができる。
【図面の簡単な説明】
【図１】本発明による記録媒体再生装置の実施の形態を示す斜視図。
【図２】図１に示した矢印Ａ方向から見た側面図。
【図３】図１に示した矢印Ｂ方向から見た側面図。
【図４】図１に示した記録媒体再生装置によりフローティング状態を固定する動作を示す動作説明図。
【図５】従来の記録媒体再生装置を示す斜視図。
【図６】図５に示した記録媒体再生装置によりフローティング状態を固定する動作を示す動作説明図。
【符号の説明】
１    記録媒体
１０    本体
１１    弾性部材
１２    コイルバネ
２０    ベースシャーシ
２３    ターンテーブル
２４    壁面
２４ａ、２４ｂ  案内溝
２５    モータ
２６    ギヤ列
２７    スライダ
３０    カートリッジホルダ
３２    開口穴
３４    ガイドピン
【図１】
0003828721.tif 000002
【図２】
0003828721.tif 000003
【図３】
0003828721.tif 000004
【図４】
0003828721.tif 000005
【図５】
0003828721.tif 000006
【図６】
0003828721.tif 000007